(57)【特許請求の範囲】
【請求項１】
所定範囲の連結角度にわたって第１の部品を第２の部品に固定する留め具組立体において、
少なくとも１つの保持スタッドと対向する突起部とを有する雌型締結部材と、
前記少なくとも１つの保持スタッドを回動可能に保持する内側開口部を有する雄型締結部材とを具備し、
前記少なくとも１つの保持スタッドは、前記所定範囲の連結角度にわたって前記雌型締結部材を該雄型締結部材に確実に連結するために、前記内側開口部内で回動して調整されるようになっており、
前記雄型締結部材の少なくとも一部が、前記雌型締結部材の対向する２つの前記突起部の間で前記少なくとも１つの保持スタッドを中心として回動可能に保持される留め具組立体。
【請求項２】
前記少なくとも１つの保持スタッドは丸みを帯びたレッジ部を有し、前記内側開口部は前記丸みを帯びたレッジ部へ当接する湾曲縁を有する請求項１に記載の留め具組立体。
【請求項３】
前記少なくとも１つの保持スタッドは円形の軸断面を有し、前記内側開口部は円形であり、かつ、前記少なくとも１つの保持スタッドを軸方向に固定する一方で前記少なくとも１つの保持スタッドの回転運動を可能にする請求項１に記載の留め具組立体。
【請求項４】
前記少なくとも１つの保持スタッドは半円形の軸断面を有する請求項１に記載の留め具組立体。
【請求項５】
前記少なくとも１つの保持スタッドは対向する第１と第２の受承脚部からそれぞれ延びる対向する第１と第２の保持スタッドを含み、該第１と第２の保持スタッドは、両側から前記内側開口部内へ挿入されるように構成される請求項１に記載の留め具組立体。
【請求項６】
前記雄型締結部材は舌片を含んでおり、前記雄型締結部材の少なくとも一部が前記舌片の湾曲した前縁から成り、前記内側開口部は前記舌片を貫通して形成される請求項１に記載の留め具組立体。
【請求項７】
前記雄型締結部材は側方支持部を含む請求項１に記載の留め具組立体。
【請求項８】
前記側方支持部は、前記雌型締結部材に対する前記雄型締結部材の回動動作を制限するテーパー状の遠位端を含む請求項７に記載の留め具組立体。
【請求項９】
留め具組立体において、
対向する突起部と、対向する受承脚部とを有し、該対向する受承脚部の各々が保持スタッドを含む雌型締結部材と、
前記対向する受承脚部の各々の前記保持スタッドを回動可能に保持する内側開口部を有する雄型締結部材とを具備し、
前記対向する受承脚部の各々の前記保持スタッドは、所定範囲の連結角度にわたって前記雌型締結部材を該雄型締結部材に確実に連結するために、前記内側開口部内で回動して調整されるように構成され、
前記雄型締結部材の少なくとも一部が、前記雌型締結部材の対向する２つの前記突起部の間で前記少なくとも１つの保持スタッドを中心として回動可能に保持される留め具組立体。
【請求項１０】
前記保持スタッドは丸みを帯びたレッジ部を有し、前記内側開口部は前記丸みを帯びたレッジ部へ当接する湾曲縁を有する請求項９に記載の留め具組立体。
【請求項１１】
前記保持スタッドは円形の軸断面を有しており、前記内側開口部は円形であり、かつ、前記保持スタッドの回転運動を可能にしながら該保持スタッドを軸方向に固定するように形成されている請求項９に記載の留め具組立体。
【請求項１２】
前記対向する２つの受承脚部の前記保持スタッドは半円形の軸断面を有する請求項９に記載の留め具組立体。
【請求項１３】
前記対向する２つの受承脚部の前記保持スタッドは、両側から前記内側開口部内へ挿入されるように構成される請求項９に記載の留め具組立体。
【請求項１４】
前記雄型締結部材は舌片を含んでおり、前記雄型締結部材の少なくとも一部が前記舌片の湾曲した前縁から成り、前記内側開口部は前記舌片を貫通して形成される請求項９に記載の留め具組立体。
【請求項１５】
前記雄型締結部材は側方支持部を含む請求項９に記載の留め具組立体。
【請求項１６】
前記側方支持部は、前記雌型締結部材に対する前記雄型締結部材の回動動作を制限するテーパー状の遠位端を含む請求項１５に記載の留め具組立体。
【請求項１７】
所定範囲の連結角度にわたって第１の部品を第２の部品に固定する留め具組立体において、
（ａ）第１と第２の保持スタッドをそれぞれ有する第１と第２の受承脚部と、（ｂ）第１の突起部および第２の突起部を含む雌型締結部材と、
湾曲した前縁を有する舌片と、該舌片を貫通して形成される内側開口部と、前記舌片の両側に設けられた側方支持部とを含む雄型締結部材とを具備し、
前記湾曲した前縁は、前記第１と第２の突起部の間で回動可能に保持されるように構成され、前記内側開口部は、前記第１と第２の保持スタッドを回動可能に保持するように構成され、前記第１と第２の保持スタッドは、両側から前記内側開口部内へ挿入されるように構成され、前記第１と第２の保持スタッドは、所定範囲の連結角度にわたって前記雌型締結部材を該雄型締結部材に確実に連結するために、前記内側開口部内で回動して調整されるように構成され、前記側方支持部は、前記雌型締結部材に対する該雄型締結部材の回動動作を制限するテーパー状の遠位端を含む留め具組立体。
【請求項１８】
前記第１と第２の保持スタッドの各々は丸みを帯びた部分を含み、前記内側開口部は、該丸みを帯びた部分に当接する湾曲部分を含む請求項１７に記載の留め具組立体。
【発明の詳細な説明】
【技術分野】
【０００１】
本開示の実施形態は包括的には留め具組立体に関し、より詳細には、嵌合方向に所定範囲にわたって互いに嵌合するように構成された第１の締結部材および第２の締結部材を備える留め具組立体に関する。
【０００２】
［関連出願］
本願は、２０１２年６月５日出願の米国仮特許出願第６１／６５５５８６号「Adaptable Mating Fastener Assembly」に関し、そして該出願からの優先権の利益を主張する。該出願はその全体が引用により本明細書の一部をなす。
【背景技術】
【０００３】
種々の部品が留め具によって互いに固定される。例えば、パネル、薄板、フレーム等は、雌型締結部材と確実に嵌合する雄型締結部材を備える留め具組立体によって、互いに固定することができる。
【０００４】
既知の留め具組立体は、雌型締結部材と確実に嵌合する雄型締結部材を備える。雌型締結部材を、例えば、パネルに形成したスロット内へ押入することができる。雌型締結部材は、パネルのスロット内へ確実に嵌合する。雄型締結部材および雌型締結部材は、パネルの平面に対して垂直な方向において互いに嵌合する。例えば、雄型締結部材は、雌型締結部材がパネルのスロット内へ押入される方向と同じ方向に、雌型締結部材内へ押入される。典型的には、互いに確実に連結されると、雄型締結部材および雌型締結部材は正しい固定される。然しながら、或る特定の用途では、垂直ではない方向に連結することが望ましい場合がある。然しながら、既知の留め具組立体は、通常、そのような向きでパネルを別の部品に連結することはできない。
【発明の概要】
【課題を解決するための手段】
【０００５】
本開示の実施形態は、所定範囲の連結角度にわたって第１の部品を第２の部品に固定するようにした留め具組立体を提供する。本留め具組立体は、少なくとも１つの保持スタッドを有する雌型締結部材と、少なくとも１つの保持スタッドを回動可能に保持する内側開口部を有する雄型締結部材とを備えることができる。保持スタッドは、所定範囲の連結角度にわたって雌型締結部材を雄型締結部材に確実に連結するために、内側開口部内に回動して調整されるように構成される。
【０００６】
保持スタッドは、丸みを帯びたレッジ部を有することができる。内側開口部は、丸みを帯びたレッジ部へ当接する湾曲縁を有することができる。一実施形態では、保持スタッドは、円形の軸方向断面を有し、内側開口部は円形であり、かつ少なくとも１つの保持スタッドを軸方向に固定する一方で保持スタッドの回転運動を可能にする。別の実施形態では、保持スタッドは半円形の軸方向断面を有する。
【０００７】
少なくとも１つの保持スタッドは、対向する第１と第２の受承脚部からそれぞれ延びる、対向する第１と第２の保持スタッドを含むことができる。第１と第２の保持スタッドは、両側から内側開口部内へ挿入されるように構成される。
【０００８】
雄型締結部材は、湾曲した前縁を有する舌片を含むことができる。内側開口部は、舌片を貫通して形成することができる。雌型締結部材は、湾曲した前縁を回転可能に保持する対向する２つの突起部を含むことができる。
【０００９】
雄型締結部材はまた、側方支持部を含むことができる。側方支持部は、雌型締結部材に対する雄型締結部材の回動動作を制限するテーパー状の遠位端を含むことができる。
【００１０】
本開示の或る特定の実施形態は、対向する２つの受承脚部を有する雌型締結部材を備える留め具組立体であって、対向する２つの受承脚部の各々が保持スタッドを含む、留め具組立体を提供する。本組立体はまた、対向する２つの受承脚部の各々の保持スタッドを回動可能に保持する内側開口部を有する雄型締結部材を備えることができる。対向する２つの受承脚部の各々の保持スタッドは、所定範囲の連結角度にわたって雌型締結部材を雄型締結部材に確実に連結するために、内側開口部内で回動して調整されるように構成される。
【００１１】
本開示の或る特定の実施形態は、所定範囲の連結角度にわたって第１の部品を第２の部品に固定する留め具組立体を提供する。本組立体は、第１と第２の保持スタッドをそれぞれ有する第１と第２の受承脚部と、第１の突起部および第２の突起部とを含む雌型締結部材を備えることができる。本組立体はまた、湾曲した前縁を有する舌片と、舌片を貫通して形成される内側開口部と、舌片の両側に設けられた側方支持部とを含む雄型締結部材を備えることができる。湾曲した前縁は、第１の突起部および第２の突起部の間で回動可能に保持されるように構成される。内側開口部は、第１と第２の保持スタッドを回動可能に保持するように構成され、第１と第２の保持スタッドは、両側から内側開口部内へ挿入されるように構成される。第１と第２の保持スタッドは、所定範囲の連結角度にわたって雌型締結部材を雄型締結部材に確実に連結するために、内側開口部内で回動して調整されるように構成される。側方支持部は、雌型締結部材に対する雄型締結部材の回動動作を制限するテーパー状の遠位端を含むことができる。
【００１２】
第１と第２の保持スタッドの各々は、丸みを帯びた部分を含むことができる。内側開口部は、丸みを帯びた部分へ当接する湾曲部分を含むことができる。
【図面の簡単な説明】
【００１３】
【図１】本開示の一実施形態による雌型締結部材を正面から見た斜視図である。
【図２】本開示の一実施形態による雌型締結部材の受承脚部を内側から見た斜視図である。
【図３】本開示の一実施形態による雄型締結部材の正面図である。
【図４】本開示の一実施形態による、パネル内へ付勢される連結式留め具組立体の等角図である。
【図５】本開示の一実施形態による、パネルに固定される連結式留め具組立体の正面図である。
【図６】本開示の一実施形態による、パネルの平面に対して垂直な方向にパネルに固定される連結式留め具組立体の正面図である。
【図７】本開示の一実施形態による雌型締結部材の等角図である。
【図８】本開示の一実施形態による雌型締結部材の受承脚部を内側から見た斜視図である。
【図９】本開示の一実施形態による雄型締結部材を正面から見た斜視図である。
【図１０】本開示の一実施形態による雌型締結部材の等角図である。
【図１１】本開示の一実施形態による雌型締結部材の受承脚部を内側から見た斜視図である。
【図１２】本開示の一実施形態による雄型締結部材を正面から見た斜視図である。
【発明を実施するための形態】
【００１４】
本開示の実施形態を詳細に説明する前に、本開示は、以下の説明または添付図面に記載の構成や配置の詳細に適用が限定されないことを理解されたい。本発明は他の実施形態が可能であり、様々な方法で実施又は実行することが可能である。また、本明細書において使用される表現および用語は説明目的のためのものであり、限定とみなされるべきではないことを理解されたい。「含む」や「備える」およびその変形は、これらの語の後に列挙される事項およびその均等物、並びに、その他の事項およびその均等物を包含することを意味するように用いられる。
【００１５】
図１は本開示の一実施形態による第１の締結部材すなわち雌型締結部材１０を正面から見た斜視図である。雌型締結部材１０は、単体の射出成形プラスチックとして一体的に成形または形成することができる。然しながら、雌型締結部材１０は、金属のような種々の他の材料から形成してもよい。
【００１６】
雌型締結部材１０は、以下に説明するように、雄型締結部材または雄型係止部材を受容し回動可能に保持するようにしたタワー形の部材とすることができる。雌型締結部材１０は、パネルの開口部に挿入されアダプターとすることができる。パネルの開口部は、通常、パネルの前面に対して垂直な方向に別の締結部材を受容する。アダプターとしての雌型締結部材１０は開口部内に嵌合し、以下に説明するように、パネルの表面に対して所定範囲の方向に或いは所定範囲のスイープ角で雄型締結部材を受容する。雌型締結部材１０は、雄型締結部材を受容する点で「雌型」である。雌型締結部材１０は、パネルやフレーム等のような別の部品に確実に嵌合するか、或いは、別の部品の一体部分とすることができる。例えば、雌型締結部材１０は、計器板の一部や、該計器板に連結するカバー、フレーム、パネル等に一体的に連結するようにできる。
【００１７】
雌型締結部材１０は、ヒンジ部１４において互いに連結される対向する２つの受承脚部１２を含む。ヒンジ部１４によって、対向する２つの受承脚部１２は、円弧Ａの方向に互いに接近方向に撓むことができる。ヒンジ部１４は、パネルの開口部内へ挿入することができる。パネルの開口部内へ挿入されるとき、対向する２つの受承脚部１２は互いに接近方向に撓んでスナップ式に適所に固定される。
【００１８】
各受承脚部１２は、ヒンジ部１４から所定角度で外方に延びる連結ビーム部１６を含むことができる。各連結ビーム部１６を貫通させてチャネル１８を形成することができる。チャネル１８は連結ビーム部１６に可撓性を与える。より剛性のある連結ビーム部１６が望ましい場合には、連結ビーム部１６にチャネル１８を形成しなくてもよい。
【００１９】
連結ビーム部１６は、対向する２つの受承脚部１２の間の空間２２内へ内方に延びる前縁係合用突起部２０を含むことができる。突起部２０は、ヒンジ部１４の近傍に設けることができ、雄型締結部材の舌片の前縁に摺動可能に係合する、丸みを帯びたノブ、返し部、係止部等であるか、或いは、それらを含むようにすることができる。
【００２０】
各連結ビーム部１６の遠位端２６において挿通式パネル保持リッジ部２４を含むことができる。パネル保持リッジ部２４は、受承脚部１２の長手方向に対して概ね垂直に延びる横ビームとするか、或いは、そうした横ビームを含むようにできる。パネル保持リッジ部２４は、更に、延長ビーム部２８に一体的に連結されている。該延長ビーム部に内側チャンネル３０を設けて、該延長ビーム部が可撓性を有するようにできる。受承脚部１２の延長ビーム部２８は、図１に示すように、互いに平行とすることができる。
【００２１】
延長ビーム部２８の遠位端に上向きタブ３２を一体的に設けることができる。上向きタブ３２は、延長ビーム部２８の平面に対して垂直としてもよい。
【００２２】
内向きのラッチアーム３４が、上向きタブ３２と延長ビーム部２８との接合部から内側空間２２に向かって延在している。対向する２つの受承脚部１２のラッチアーム３４は、互いに向かって傾斜しており、互いに対して鏡像をなす。ラッチアーム３４は間隙３６によって分離している。
【００２３】
図２は本開示の一実施形態による雌型締結部材１０の受承脚部１２を内側から見た斜視図である。図示するように、ラッチアーム３４は、上向きタブ３２と延長ビーム部２８との接合部から上方かつ内方に延びる。ラッチアーム３４は、遠位端４４から延びる保持スタッド４２を有する、上方かつ内方に傾斜した支柱４０を含む。保持スタッド４２は、丸みを帯びたレッジ部４８を有するベース部４６と上向きフラップ部５０とを含む。保持スタッド４２は、雄型締結部材を貫通して形成される開口部内に挿入、保持されるように構成される。丸みを帯びたレッジ部４８は、雄型締結部材を貫通して形成される開口部の弓状面に適合する弓状面を有することができる。上向きフラップ部５０は、雌型締結部材１０に対する雄型締結部材の運動を制御する障壁として機能するように構成することができる。
【００２４】
図３は本開示の一実施形態による第２の締結部材、すなわち雄型締結部材または雄型係止部材６０の正面図を示す。雄型締結部材６０を第１の締結部材と見なし、雌型締結部材１０を第２の締結部材と見なすことができることを理解すべきである。雄型締結部材６０は、例えば、射出成形プラスチックから成る一体物として一体成形または形成することができる。代替的には、雄型締結部材６０は、金属のような種々の他の材料から形成してもよい。
【００２５】
雄型締結部材６０は、平坦な舌片６２に一体的に連結されるベース部６１を含み、舌片６２はベース部６１に対して概ね垂直である。舌片６２は、外方に湾曲したすなわち弓なりになった前縁すなわち挿入縁部６４を有する。側方支持部６６は、舌片６２の両側に延びる。側方支持部６６は、舌片６２よりも厚くすることができる。例えば、側方支持部６６は、舌片６２に構造的剛性をもたらす円筒形の管とすることができる。各側方支持部６６は、ベース部６１から湾曲縁６４まで延びる。側方支持部６６の遠位端６８は、長手方向の中心軸線Ｘに向かってテーパー状にして下方に傾斜させることができる。例えば、遠位端６８は、長手方向の中心軸線Ｘに対して角度αをなしてテーパー状にすることができる。こうして、一方の遠位端６８から他方の遠位端までの総スイープ角は、２αとすることができる。
【００２６】
内側開口部７０が舌片６２の中心に近接して形成されている。内側開口部７０は、雌型締結部材１０の保持スタッド４２の丸みを帯びたレッジ部４８（図２に示す）の曲率に適合する湾曲した上縁部７２を有することができる。湾曲した上縁部７２は雌型締結部材１０の丸みを帯びたレッジ部４８と協働して、雄型締結部材６０が雌型締結部材１０に対して（この逆もまた同様である）回動可能とする。内側開口部７０と保持スタッド４２との間の回動動作を可能にするために、内側開口部７０は、保持スタッド４２の断面周囲よりも大きくすることができる。保持スタッドの丸みを帯びたレッジ部４８は、内側開口部７０の湾曲した上縁部７２に当接する。
【００２７】
図４は本開示の一実施形態による、パネル１０２内へ付勢される連結式留め具組立体１００の等角図を示す。図１〜図４を参照すると、雌型締結部材１０は、対向する２つの受承脚部１２の間で雄型締結部材６０を受容する。平坦な舌片６２は、湾曲した前縁６４がヒンジ部１４の内面に当接し、かつ丸みを帯びた２つの突起部２０の間で摺動可能に保持されるように、対向する２つの受承脚部１２の間に挿入される。
【００２８】
舌片６２が対向する２つの受承脚部１２の間の適所へと摺動すると、保持スタッド４２が舌片６２を貫通して形成される内側開口部７０に達するまで、ラッチアーム３４が舌片６２の表面上を外方に屈撓する。保持スタッド４２が内側開口部７０に達すると、ラッチアーム３４は自身の静止位置まで屈撓して戻り、それによって、対向する２つの保持スタッド４２が内側開口部７０内で保持されるように、保持スタッド４２は内側開口部７０内へ屈撓すなわちスナップ留めされる。従って、舌片６２は対向する２つの保持スタッド４２の間に確実に捕捉される。
【００２９】
内側開口部７０の湾曲した上縁部７２は、丸みを帯びたレッジ部４８の曲率に適合することができる。湾曲した前縁６４および湾曲した上縁部７２によって、雄型締結部材６０が弓状スイープ角にわたって雌型締結部材１０に対して回動可能となり、弓状スイープ角は、雄型締結部材６０の側方支持部６６の遠位端６８のテーパー状縁によって画定することができる。すなわち、雄型締結部材６０は、２αの弓状スイープ角にわたって雌型締結部材１０に対して（この逆もまた同様である）回動することができる。遠位端６８は、受承脚部１２の側方表面内へ当接する障壁を提供し、それによって雄型締結部材の更なる回動動作を防止することができる。
【００３０】
遠位端６８は、雄型締結部材６０と雌型締結部材１０との間での所望の程度の回動動作を可能にするために、種々の角度をなしてテーパー状とすることができる。例えば、角度αは９０°未満とすることができる。角度αは９０°としたり或いは９０°よりも大きくしてもよい。
【００３１】
図５は、本開示の一実施形態による、パネル１０２に固定される連結式留め具組立体１００の正面図を示す。図４、５を参照すると、組立体１００をパネル１０２に連結するために、最初に雄型締結部材６０を雌型締結部材１０に連結することができる。最初に雌型締結部材１０をパネル１０２に連結し、次いで雄型締結部材６０を雌型締結部材６０によって受容するようにしてもよい。いずれの場合でも、雌型締結部材１０のヒンジ部端部がパネル１０２の開口部１１０内へ挿入される。雌型締結部材１０が開口部１１０内へ挿入されると、対向する２つの受承脚部１２は、パネル保持リッジ部２４が開口部１１０を通過するまで内方に屈撓する。挿通式リッジ部２４が開口部１１０を通過すると、対向する２つの受承脚部１２は外方に屈撓して自身の静止位置まで戻り、パネル保持リッジ部２４は、雌型締結部材１０をパネル１０２にスナップ留め可能に固定する。
【００３２】
留め具組立体１００は、パネル１０２の平面１２０に対して垂直な方向Ｂ以外の様々な角度にわたってパネル１０２に連結することができる。詳細には、雄型締結部材６０は、雌型締結部材１０に対して種々の角度にわたって移動することができる。雄型締結部材６０は、雌型締結部材１０に連結して、詳細には図３に示すように雌型締結部材１０に対して角度２αにわたって回動することができる。雄型締結部材６０と雌型締結部材１０との間の湾曲した接触面は、それらの締結部材の間での角度連結および回動動作を可能にする。（詳細には図１〜図３に示すように）湾曲した前縁６４／丸みを帯びた突起部２０、および湾曲した内縁７２／丸みを帯びたレッジ部４８を含めた、湾曲した接触面は、雄型締結部材６０が嵌合方向の範囲にわたって雌型締結部材１０と確実に嵌合するのを可能にするように互いに協働する。すなわち、雄型締結部材６０は、雄型締結部材６０の長手方向軸または雌型締結部材１０の長手方向軸に対して平行である方向とは異なる方向において雌型締結部材１０と嵌合することができる。
【００３３】
雄型締結部材６０の湾曲した嵌合面は、雌型締結部材１０の相反面に対して平行とすることができる。平行な嵌合面すなわちアールは、滑らかな回転運動をもたらす一方で、パネル１０２の開口部１１０と、開口部１１０内へ挿入される雌型締結部材１０のヒンジ部端部との間の均一な距離を保つことができる。
【００３４】
図６は、本開示の一実施形態による、パネル１０２の平面１２０に対して垂直な方向にパネル１０２に固定される連結式留め具組立体１００の正面図を示す。然しながら、上記で説明したように、雄型締結部材６０は長手方向の中心軸線Ｘの両側で角度αにわたって回動することができる。従って、雄型締結部材６０は、パネル１０２に対して回動、回転、または別様に移動する一方で、雌型締結部材１０によってパネル１０２に固定された状態を保つことができる。このようにして、留め具１００を用いて、長手方向の中心軸線Ｘに対して平行ではない方向において別の部品をパネル１０２に連結することができる。
【００３５】
図７は本開示の一実施形態による雌型締結部材２００の等角図を示す。図８は本開示の一実施形態による雌型締結部材２００の受承脚部２１２を内側から見た斜視図である。図７、８を参照すると、雌型締結部材２００は、各ラッチアーム２３４から延びる保持スタッド２４２の断面を円形とすることができることを除いて、雌型締結部材１０と同様である。
【００３６】
図９は本開示の一実施形態による雄型締結部材２６０を正面から見た斜視図である。雄型締結部材２６０は、内側開口部２７０が円形であり、かつ雌型締結部材２００の円形の保持スタッド２４２を受容して保持することを除いて、雄型締結部材６０と同様である。内側開口部２７０および保持スタッド２４２はいずれも円形であるため、内側開口部２７０は、保持スタッド２４２を受容して回転可能に保持するために、保持スタッド２４２よりも僅かに大きい寸法、形状とすることができる。従って、内側開口部２７０は、保持スタッド２４２を内部で軸方向に保持する一方で、内側開口部２７０と保持スタッド２４２との間での回転運動を可能にすることができる。
【００３７】
図１０は本開示の一実施形態による雌型締結部材３００の等角図を示す。図１１は、本開示の一実施形態による雌型締結部材３００の受承脚部３１２を内側から見た斜視図である。図１０、１１を参照すると、雌型締結部材３００は、各ラッチアーム３３４から延びる保持スタッド３４２の断面を半円形とすることができることを除いて、雌型締結部材２００と同様である。保持スタッド３４２は、丸みを帯びた上側部分３４４および平滑な下縁３４６を含むことができる。
【００３８】
図１２は本開示の一実施形態による雄型締結部材３６０を正面から見た斜視図である。雄型締結部材３６０は、内側開口部３７０が半円形であり、かつ雌型締結部材３００の半円形の保持スタッド３４２を受容して保持することを除いて、雄型締結部材２６０と同様である。内側開口部３７０は円形としてもよい。内側開口部３７０は、保持スタッド３４２が開口部３７０内で回転するのを可能にするために、半円形の保持スタッド３４２の軸方向断面よりも大きくすることができる。
【００３９】
記載、示す雌型締結部材の保持スタッドは、協働する内側開口部内で回転するために湾曲していることができる。回転運動および回動動作を可能にする、図示の形状以外の種々の湾曲形状を用いることができる。概して、内側開口部は、保持スタッドの回動動作および回転運動を可能にする寸法、形状になっている。
【００４０】
本開示の実施形態は、雌型締結部材が挿入されるパネルの平面に対して垂直および非垂直である角度全体における保持を提供する。本実施形態は、固定位置における雄型締結部材と雌型締結部材との確実な締結係合を提供する。湾曲した接触面は様々な角度における確実な保持力を提供し、この保持力は損なわれない。
【００４１】
本開示の実施形態は、ぴったり合う湾曲面すなわちアールを有する第１の（すなわち雌型）締結部材および第２の（すなわち雄型）締結部材を有する留め具組立体を提供する。これらの湾曲面すなわちアールは、引抜き性能を低下させることなく、垂直方向の角度および非垂直方向の角度におけるスロット付きパネル内への挿入およびスロット付きパネルからの引抜きを可能にする。例えば計器板のような種々の用途では、部品は、非垂直方向の嵌合が望ましい箇所に設置してそこから取り外すことができる。本実施形態は、例えばスイッチベゼル、内装トリム、計器板等の自動車製造のような種々の用途において用いることができる。
【００４２】
本開示の実施形態を説明するために上部、底部、下側、中間、横、水平、垂直、前方等の種々の空間および方向に関する用語を用いる場合があるが、そのような用語は図面に示される向きに関して用いられるにすぎないことが理解される。それらの向きは、上側部分が下側部分であり、逆もまた同様であり、水平が垂直になるといったように、反転させるか、回転させるか、または別様に変更することができる。
【００４３】
上記の変形および変更は本開示の範囲内にある。本明細書に開示および規定されている本実施形態は、言及されているか、または本文および／または図面から明らかである個々の特徴の２つ以上の全ての代替的な組合せに及ぶことが理解される。これらの様々な組合せの全ては、本開示の種々の代替的な態様を構成する。本明細書に記載の実施形態は、本開示を実施するための分かっている最良の形態を説明しており、当業者が本発明を利用することを可能にする。特許請求の範囲は、従来技術が許容する範囲まで代替的な実施形態を含むものと解釈すべきである。
本開示の種々の特徴は添付の特許請求の範囲内に記載されている。
【符号の説明】
【００４４】
１０    雌型締結部材
１２    受承脚部
１４    ヒンジ部
１６    連結ビーム部
１８    チャネル
２０    突起部
２２    内側空間
２４    パネル保持リッジ部
２６    遠位端
２８    延長ビーム部
３０    内側チャンネル
３２    タブ
３４    ラッチアーム
３６    間隙
４０    支柱
４２    保持スタッド
４４    遠位端
４６    ベース部
４８    レッジ部
５０    フラップ部
６０    雄型締結部材
６１    ベース部
６２    舌片
６４    挿入縁部
６６    側方支持部
６８    遠位端
７０    内側開口部
７２    上縁部
１００    留め具組立体
１０２    パネル
１１０    開口部
１２０    平面
２００    雌型締結部材
２１２    受承脚部
２３４    ラッチアーム
２４２    保持スタッド
２６０    雄型締結部材
２７０    内側開口部
３００    雌型締結部材
３１２    受承脚部
３３４    ラッチアーム
３４２    保持スタッド
３４４    上側部分
３４６    下縁
３６０    雄型締結部材
３７０    内側開口部
【図１】
0006307498.tif 000002
【図２】
0006307498.tif 000003
【図３】
0006307498.tif 000004
【図４】
0006307498.tif 000005
【図５】
0006307498.tif 000006
【図６】
0006307498.tif 000007
【図７】
0006307498.tif 000008
【図８】
0006307498.tif 000009
【図９】
0006307498.tif 000010
【図１０】
0006307498.tif 000011
【図１１】
0006307498.tif 000012
【図１２】
0006307498.tif 000013